(57)【特許請求の範囲】
【請求項１】
容器（１２）を閉鎖するための装置であって、前記装置は、前記容器（１２）内に導入され、前記容器（１２）に収容された第２のコンポーネントに添加される第１のコンポーネントを収容することに適しており、
少なくとも、前記第１のコンポーネントを収容するのに適したタンク（１６）と、前記タンク（１６）の開放を決める手段として用いられる可動性スラスタ（１５）と、前記タンク（１６）と安定に結合され、前記容器（１２）に解除可能に締め付けるように前記容器（１２）のネック（１１）と協働することが可能である閉鎖手段（２０）が設けられる閉鎖部（１３）とを備えており、
前記閉鎖部（１３）は、前記可動性スラスタ（１５）の少なくとも一部（２６）を前記閉鎖部（１３）において摺動可能に収納することに適して、且つ前記可動性スラスタ（１５）の前記タンク（１６）に向かっている通路のための開口部（２１）を含み、
前記可動性スラスタ（１５）は、前記タンク（１６）を妨げない第１の上寄り位置と、前記第１のコンポーネントが前記容器（１２）の内部を通過できるように前記タンク（１６）を開通させる第２の下寄り位置との間で選択的に移動可能であり、
前記閉鎖部（１３）は、使用中で前記容器（１２）の内側に向かっている環状面（１９）を有し、前記環状面（１９）は前記開口部（２１）を取り囲み、前記開口部（２１）から前記閉鎖手段（２０）に半径方向に延びており、前記タンク（１６）は前記環状面（１９）と安定に結合しており、
前記可動性スラスタ（１５）は、前記閉鎖部（１３）と一体に成形されており、前記可動性スラスタ（１５）を前記閉鎖部（１３）と接続する優先破断部（２７）を形成しており、
前記装置は、前記可動性スラスタ（１５）と前記閉鎖部（１３）との予想外の相互移動を防止するために、前記可動性スラスタ（１５）及び前記閉鎖部（１３）に対して一体に形成される安全エレメント（２９）を備えている、
ことを特徴とする装置。
【請求項２】
請求項１に記載の装置において、
前記閉鎖部（１３）は、前記開口部（２１）と前記閉鎖手段（２０）との間における中間位置において前記環状面（１９）から延びている環状リブ（２２）を備えており、
前記環状リブ（２２）は、環状隙間（２４）において、前記ネック（１１）の上部環状バンド（１１ａ）を前記環状リブ（２２）と協働するように、外側で前記閉鎖手段（２０
）と相まって閉鎖するための前記容器（１２）の前記ネック（１１）の一部を収納する前記環状面（１９）の第１のクラウン（２３）を区切っており、内側で前記タンク（１６）の安定した位置決めのための前記環状面（１９）の第２のクラウン（２５）を区切っている、
ことを特徴とする装置。
【請求項３】
請求項２に記載の装置において、
前記第２のクラウン（２５）は、前記タンク（１６）が前記可動性スラスタ（１５）の移動を防げる状態にあるとともに、使用中には前記容器（１２）の内側に向かっているように、前記タンク（１６）を接着又は熱溶接によって前記第２のクラウン（２５）に配置させるように構成されている、
ことを特徴とする装置。
【請求項４】
請求項２又は３に記載の装置において、
前記環状リブ（２２）は、テーパ状であり、前記環状面（１９）に向かって徐々に狭くなって軸方向に延びている断面を有している、
ことを特徴とする装置。
【請求項５】
請求項４に記載の装置において、
前記環状リブ（２２）のテーパ部は、前記閉鎖部（１３）の中心軸（Ｘ）に実質的に平行な基準面（Ｒ）に対して３°〜１０°の所定の角度（α）の傾斜面を有している、ことを特徴とする装置。
【請求項６】
請求項１〜５のいずれか１項に記載の装置において、
前記装置は、前記閉鎖部（１３）と結合される環状パッキング（３２）を備えている、ことを特徴とする装置。
【請求項７】
請求項２又は６に記載の装置において、
前記環状パッキング（３２）は、前記閉鎖部（１３）の前記環状面（１９）と前記ネック（１１）の前記上部環状バンド（１１ａ）との間に配置されている、
ことを特徴とする装置。
【請求項８】
請求項１又は６に記載の装置において、
前記環状パッキング（３２）は、前記タンク（１６）と前記ネック（１１）の前記上部環状バンド（１１ａ）との間に配置されている、
ことを特徴とする装置。
【請求項９】
請求項１〜８のいずれか１項に記載の装置において、
前記閉鎖部（１３）は、内部で、前記第１の位置から前記第２の位置までの通路において、前記可動性スラスタ（１５）と協働するガイドリブ（３４）を有している、
ことを特徴とする装置。
【請求項１０】
請求項９に記載の装置において、
前記可動性スラスタ（１５）は、前記ガイドリブ（３４）と協働することができるスライドティース（３６）を設けている、
ことを特徴とする装置。
【請求項１１】
請求項９又は１０に記載の装置において、
前記ガイドリブ（３４）は主に螺旋軌道に沿って軸方向に延びている、
ことを特徴とする装置。
【請求項１２】
請求項１〜１１のいずれか１項に記載の装置において、
前記安全エレメント（２９）は、前記安全エレメント（２９）の取り外しを促進するように構成される相対プレカットセグメント（３０）によって、前記可動性スラスタ（１５）及び前記閉鎖部（１３）と接続されている、
ことを特徴とする装置。
【請求項１３】
請求項１〜１２のいずれか１項に記載の装置において、
前記装置は、前記閉鎖部（１３）及び前記容器（１２）のアンカップリングを選択的に防止するために、前記閉鎖部（１３）及び前記容器（１２）と結合される誤動作防止エレメント（３１）を設けている、
ことを特徴とする装置。
【請求項１４】
請求項１〜１３のいずれか１項に記載の装置において、
前記可動性スラスタ（１５）の一部（２６）は、少なくとも、前記閉鎖部（１３）で摺動するように組み込むロッドを備えており、前記ロッド（２６）は、前記タンク（１６）を破断させるために第１の駆動端部（２６ａ）及び第２の先端部（２６ｂ）を設けている、
ことを特徴とする装置。
【請求項１５】
請求項１〜１４のいずれか１項に記載の装置において、
前記可動性スラスタ（１５）は、直交している壁（１５ａ）によって形成されている、ことを特徴とする装置。
【請求項１６】
請求項１〜１５のいずれか１項に記載の装置において、
前記可動性スラスタ（１５）は、傾斜したセグメント（１５ｂ）を有している、
ことを特徴とする装置。
【請求項１７】
請求項１〜１６のいずれか１項に記載の装置において、
前記装置は、前記第２の位置における前記可動性スラスタ（１５）の機械的なクランピングを形成するように構成されるクランプ手段（２７ａ、４０）を備えている、
ことを特徴とする装置。
【請求項１８】
請求項１〜１７のいずれか１項に記載の装置において、
前記タンク（１６）は、湿気及び酸素に対する効果的なバリア並びに前記閉鎖部（１３）の溶接性を保証するために、ポリマーと結合する金属をベースに形成されている、
ことを特徴とする装置。
【請求項１９】
請求項１〜１８のいずれか１項に記載の装置において、
前記タンク（１６）は、前記第１のコンポーネントを収容するために、平面壁（１６ａ）及び中空突起（１６ｂ）を備えている、
ことを特徴とする装置。
【請求項２０】
請求項１９に記載の装置において、
前記平面壁（１６ａ）は、前記可動性スラスタ（１５）に向かって、前記中空突起（１６ｂ）は前記容器（１２）の内側に向かっている、
ことを特徴とする装置。
【請求項２１】
請求項１９に記載の装置において、
前記平面壁（１６ａ）は、前記容器（１２）の内側に向かって、前記中空突起（１６ｂ
）は、前記可動性スラスタ（１５）に向かっている、
ことを特徴とする装置。
【請求項２２】
請求項１〜２１のいずれか１項に記載される閉鎖装置を備える容器。
【発明の詳細な説明】
【技術分野】
【０００１】
本発明は、閉鎖装置及びその閉鎖装置を備える小瓶に関し、その閉鎖装置によって、第１のコンポーネントを第２のコンポーネント、一般的に液体が含まれる容器又は小瓶内に導入される。特に、本発明にかかる閉鎖装置は、保存に適したタンクによって提供される型であり、ユーザーによって服用される組成物を調製するために、隔離環境において、第１のコンポーネント、一般的に吸湿性若しくは水溶性の粉末、錠剤又は類似の物質のような第２のコンポーネントに可溶である物質を、第２のコンポーネントに混合、溶解、可溶化、又はいかなる場合にも分散させるようにする。また、閉鎖装置は、タンクを開けて第１のコンポーネントを第２のコンポーネントに放出させる可動性スラスタを備える。閉鎖装置及び関連した小瓶は、一般的に、例えばプロバイオティック及びプレバイオティック効果を有するビタミン、凍結乾燥バクテリアなどの栄養補助食品の分野、家庭用、スポーツの分野、医薬品業界、及び医療機器に適用しているが、この限りではない。
【背景技術】
【０００２】
第１のコンポーネントの保存に適した小瓶のための閉鎖装置は知られており、この閉鎖装置によって、第２のコンポーネントに溶解又は分散できる、例えば吸湿性粉末などの第１のコンポーネントを、小瓶に収容された第２のコンポーネント、一般的に液体に自発的に放出させ、この閉鎖装置は通常、医療及び／又はスポーツ分野において、栄養補助食品、薬品、医療機器などの組成物を調製及び服用するために用いられる。
【０００３】
既知の閉鎖装置は、少なくとも、圧力下で小瓶のネックに結合され又はネジで締める閉鎖部又はストッパを設けている。ストッパは、第１のコンポーネントのための保存用タンクに結合して、また、可動性穴開け器を備える。そのモバイル穴開け器は、ユーザーが貫通する形でタンクに穴を開けて第１のコンポーネントを放出させるようにして、服用組成物を調製するために、第１のコンポーネントを第２のコンポーネントに落下させ一般的に分散させる。
【０００４】
既知の閉鎖装置の一実施例は、国際出願ＷＯ００／５３５０７Ａ（ＷＯ’５０７）に開示されている。
【０００５】
出願ＷＯ’５０７において、ユーザーは穴開け器を動かしてタンクを切断し、第１のコンポーネントを小瓶内に渡すようにする。小瓶には、服用組成物を調製するために、例えば栄養補助食品として、第１のコンポーネントは第２のコンポーネントに混合又は分散することができる。ＷＯ’５０７に記載される解決手段には、服用組成物を調製すると、ユーザーがストッパに組み込まれる選択的開放機構を動かして、調製された組成物を小瓶から閉鎖部を通過するための飲用通路を開放させる。従って、ＷＯ’５０７において、ユーザーは調製された組成物を飲むために小瓶からストッパを取り外すことなく、逆に、ユーザーは組成物を飲むための排出口としてストッパを使用する。しかしながら、これは、ストッパを製造するために採用される解決手段のかなりの機械的な複雑さを伴って、製造コストの上昇という結果を生じる。
【０００６】
出願ＷＯ’５０７において、第１のコンポーネントを収容するタンクは、ポリマー、一般的にポリエチレンの外層に結合されたアルミニウムシートからなるブリスター、小窩又はカプセルであり、そのブリスター、小窩又はカプセルは、中空突起が延出している平面壁を有する構造を形成して、第１のコンポーネントをそこに配置している。ブリスターは、通常、油圧シールを保証するので、湿気による第１のコンポーネントの劣化を引き起こさないという事実をもたらす。
【０００７】
ブリスターは、中空突起が小瓶の内側に向かって平面壁が上に向かっているように配置され、上記の閉鎖部の内側環状面に接着されている。
【０００８】
さらに、ブリスターは、小瓶のネックの一端と閉鎖部の内側環状面との間におけるブリスターの先端部に対して圧迫するような効果によって、この位置に維持されている。
【０００９】
従って、ＷＯ’５０７に記載される解決手段において、第２のコンポーネント、つまり一般的には液体の漏出を防止するのは、小瓶の油圧シールを形成する閉鎖圧のみである。
【００１０】
しかしながら、圧力は特に、例えば運送又はパッケージング中に、他の類似のものに対する装置及び小瓶のあり得る衝突及び／又は摩擦によって、又は小瓶のネックに対するストッパのあり得る熱膨張によって、時間とともに変わらないことを保証することは不可能である。
【００１１】
そのため、小瓶の油圧シールに関する限り、既知の閉鎖装置は完全に信頼できない。
【００１２】
既知の装置の別のデメリットは、可動性穴開け器の誤作動を防止するために、別に製造される安全エレメントが設けられる点である。その安全エレメントは、可動性穴開け器が実質的にストッパと完全な一体になるように、スナップで取り付ける方法によって可動性穴開け器の外側セグメントに組み立てられる。
【００１３】
この解決手段において、スナップで取り付ける結合の一定の堅牢性を保証することが必要であるので、安全エレメントは特に、このタイプの装置のユーザーであり得る高齢者又は患者によって、取り外されることは困難である。
【００１４】
さらに、安全エレメントが別に製造されるという事実は、製造コストの上昇を引き起こす。
【発明の概要】
【発明が解決しようとする課題】
【００１５】
本発明の目的は、簡単で且つ製造が経済的であり、既知の装置の上記デメリットを克服できるようにする、第２のコンポーネントが収容された小瓶のための、第１のコンポーネントが収容された閉鎖装置を得ることである。
【００１６】
出願人は、従来技術の欠点を克服してこれら及び他の目的並びに利点を得るために、本発明を考案、テスト及び具現化する。
【課題を解決するための手段】
【００１７】
本発明は独立クレームに説明及び特徴づけられる一方、従属クレームには本発明の他の特徴又は発明力のある着想に対する変形形態が説明される。
【００１８】
上記の目的に応じて、小瓶又はそれに類似若しくは相当する容器を閉鎖するための装置は、例えば、栄養補助食品を例とするがこれに限定されない服用組成物を調製するために、小瓶に導入され、小瓶に収容された第２のコンポーネントに添加される第１のコンポーネントを収容することに適している。
【００１９】
第１のコンポーネントは、一般的に、例えば食品、医薬物質又は医療機器などの物質であり、第２のコンポーネントに溶ける、吸湿性若しくは水溶性の粉末又は錠剤のような湿気に弱い物質である。第２のコンポーネントは、一般的に、ユーザーによって服用されることに適している液体である。
【００２０】
本発明にかかる閉鎖装置は、少なくとも、第１のコンポーネントを収容するのに適したタンクと、タンクを開ける手段として用いられる可動性スラスタと、タンクと安定に結合され、小瓶に解除可能に締め付けるように小瓶のネックと協働することが可能である例えばネジ、圧力、接合、スナップで取り付けなどの閉鎖手段が設けられる閉鎖部とを備えている。
【００２１】
閉鎖部は、１つの使用状態で、例えばロッド状又は十字状などの形状である可動性スラスタの少なくとも一部を閉鎖部において摺動可能に収納することに適して、可動性スラスタがタンクを通過するための開口を有している。
【００２２】
ユーザーが可動性スラスタを押し付ける場合、可動性スラスタは、タンクを妨げない第１の上寄り位置と、第１のコンポーネントが小瓶の内部を通過できるようにタンクを開通させる第２の下寄り位置との間に閉鎖部で選択的に移動又は摺動している。閉鎖部は使用中で小瓶の内側に向かっている環状面を有し、その環状面は開口を取り囲み、開口から閉鎖手段に半径方向に延びている。そのタンクは環状面と安定に結合されている。
【００２３】
実施形態のいくつかの形態において、閉鎖部は、環状面から下方に延びて、容器と協働する閉鎖手段が設けられる外側円筒壁と、環状面から上方に延びて、開口が設けられる内側円筒壁とを有し、可動性スラスタのスライド通路に適している。
【００２４】
本発明の１つの特徴によれば、可動性スラスタは、閉鎖部と一体に成形されており、材料の弱化された所望の線に沿って可動性スラスタを閉鎖部と接続する優先破断部を形成している。
【００２５】
これは、実質的に２つの部分、すなわち、スラスタと一体成形された閉鎖部と、閉鎖部に関連した第１のコンポーネントのためのタンクと、に割れた閉鎖装置が得られるようにする結果、簡単な実行及び工業化ができる。
【００２６】
実施形態のいくつかの形態において、可動性スラスタは、通常、閉鎖部に対してその第１の上寄り位置に形成されている。
【００２７】
このように、ユーザーは優先破断部が破断されるまで可動性スラスタに圧力をかけるので、タンクを開けるように、可動性スラスタを第１の位置から第２の位置に移動させる。
【００２８】
さらに、本発明よれば、閉鎖装置は、可動性スラスタと閉鎖部との予想外の相互移動を防止するために、可動性スラスタ及び閉鎖部に対して一体に形成される安全エレメントを備えている。従って、このように、可動性スラスタは、タンクの誤開放を防止し、タンクから第１のコンポーネントの望ましくない漏出を防止する。また、安全エレメントは、誤動作に対する保証及び制御として機能している。また、実施形態のいくつかの形態において、閉鎖部は、通常の使用で環状面から小瓶の内側に向かって延びている環状リブを備えている。
【００２９】
環状リブは、開口と閉鎖手段との間における中間位置に形成されている。
【００３０】
このように、環状隙間が形成され、環状リブは、外側で閉鎖手段と相まって閉鎖のための小瓶のネックの一部を収納する環状面の第１のクラウンを区切って、内側でタンクの安定した位置決めのための環状面の第２のクラウンを区切る。
【００３１】
特に、有利には、ネックの上部環状バンドは、環状リブの形状と結合して、環状リブと相まって、密封が得られるようにそのわずかな側方湾曲を引き起こす。
【００３２】
従って、本発明によって、二重油圧シール、すなわち、より外側の油圧シール及びより内側の油圧シールが得られる。外側油圧シールは、閉鎖部における環状面から直接延びて外側環状隙間を形成する環状リブによって得られ、外側環状隙間において環状リブは隣接の形で小瓶のネックの上部環状バンドと協働する。内側油圧シールは、例えば接着又は熱溶接でタンクと閉鎖部の環状面との安定した結合によって得られるが、環状リブに対してより内側に位置する。
【００３３】
本発明の実施形態のいくつかの形態において、第１のクラウンは、一端及び小瓶のネックの上部環状バンドを環状隙間において分離して収納できるようにする。
【００３４】
本発明にかかる実施形態のいくつかの形態において、タンクが可動性スラスタの移動を阻害する状態にあると共に使用中には小瓶の内側に向かっているように、第２のクラウンは、タンクを接着又は熱溶接によってクラウンの先端に配置させるように構成されている。
【００３５】
このように、タンクは、閉鎖部の環状面において例えば接着又は熱溶接によってその動作位置に密封して保持され、閉鎖部の閉鎖手段と小瓶のネックとの間における閉鎖協働領域から物理的に解放して分離する。
【００３６】
従って、本発明にかかる解決手段によって、小瓶の油圧シール及びタンクの安定した位置決めは、完全に互いに自主的であり、また閉鎖装置と小瓶との間の閉鎖圧に関する。
【００３７】
従って、この解決手段は、運送中に予想外の衝突及び／又は初期状態に影響を与えることができる部分の熱変形によるリスクなしに、時間をかけて油圧シールを保証することは可能である。
【００３８】
さらに、装置と小瓶との間における閉鎖圧及び小瓶自体の油圧シールからタンクの位置決めを解除することによって、装置を小瓶に対して独立して製造、販売及び保存することができるので、低い製造コスト及び本製品のより大きな商業的適用性というメリットが与えられる。
【００３９】
変形形態によれば、環状リブはテーパ状であり、すなわち、環状リブは、中心に向かって徐々に狭くなる変化又は部分を有し、環状面に向かって延びている。このように、環状リブは、環状リブと小瓶との間における異なった点で接触圧を増加させることができるように、閉鎖中で、小瓶のネックと協働するステップにおいてわずかな弾性変形を受け、ネックと接触する面を縮小させる。そのため、１円周に沿って実質的に小瓶のネックに影響を与える結果、機械的拘束の安定性を向上させる。
【００４０】
このように、組み立てられた状態で、結合の油圧シールを効果的に保証するために、小瓶のネックの内側面に対する弾性効果を保証する。
【００４１】
実施形態のいくつかの形態において、閉鎖装置は、閉鎖部と結合される環状パッキングを備えている。
【００４２】
いくつかの変形解決手段において、環状パッキングは、閉鎖部の環状面とネックの上部環状バンドとの間に配置されている。
【００４３】
他の変形解決手段において、環状パッキングは、タンクとネックの上部環状バンドとの間に配置されている。
【００４４】
本発明の実施形態のいくつかの形態によれば、閉鎖部はその内部に、可動性スラスタの第１の位置から第２の位置までの通路において、可動性スラスタと協働するガイドリブを有している。
【００４５】
変形解決手段において、可動性スラスタは、ガイドリブと協働することができるスライドティースを設けている。
【００４６】
実施形態のいくつかの変形形態において、ガイドリブは、主に螺旋軌道に沿って軸方向に延びている。
【００４７】
実施形態のいくつかの形態において、安全エレメントは、装置を使用する前に安全エレメントの取り外しを容易にする相対プレカットセグメントによって、可動性スラスタ及び閉鎖部と接続されている。
【００４８】
各プレカットセグメントは、その構造によって、安全エレメントが例えば高齢者又は患者に取り外され外されることが容易になる。
【００４９】
実施形態の他の形態において、任意の分離を選択的に防止するために、小瓶の閉鎖部及び小瓶と結合される誤動作防止エレメントが設けられる。実施形態のいくつかの形態において、誤動作防止エレメントは、閉鎖装置を小瓶に接続する環状ストリップである。誤動作防止エレメントは、小瓶を取り囲んで小瓶及び閉鎖装置と緊密に接続される構造を有し、実際には、任意の分離を防止する。上記ストリップは、力をかけるとストリップを取り外して閉鎖装置を分離させる優先破断セグメントを有している。
【００５０】
別の一変形形態によれば、可動性スラスタは、第１の位置と第２の位置の間における通路でタンクの破断を作動するために、第１の保持端部及び第２の先端部を有している。実施形態のいくつかの形態において、第２の先端部は実質的に星形断面を有し、この星形断面によって、タンクの切断側面がクリーン、均一かつ十分に大きいものであり、第１のコンポーネントの出口として最適となる。
【００５１】
実施形態のいくつかの形態によれば、可動性スラスタは、直交している壁によって形成されている。実施形態の変形形態において、可動性スラスタは傾斜したセグメントを有している。
【００５２】
実施形態のいくつかの形態によれば、閉鎖装置は、第２の位置における可動性スラスタの機械的なクランピングを形成するように構成されるクランプ手段を備えている。
【００５３】
実施形態のいくつかの形態において、タンクに収容された第１のコンポーネントの性質及び閉鎖部に対する溶接性を維持するために、タンクは、湿気及び酸素に対する効果的なバリアを保証するのに適した金属及びポリマーからなる。
【００５４】
このバリア効果のために使用できる１つの金属は、例えばアルミニウムであってもよい。
【００５５】
ポリマーは、閉鎖装置の環状面に対するタンクの熱溶着または接着を可能にするために特に有利である。適切なポリマーの１つは、例えばＬＬＤＰＥ、ＬＤＰＥ、ＭＤＰＥ若しくはＨＤＰＥなどのポリエチレン、又はそれらの混合物であってもよい。また、別の一解決手段は、例えば二軸延伸ポリプロピレンなどのポリプロピレンを使用するように提供されてもよい。
【００５６】
実施形態のいくつかの形態において、タンクは、例えば前述のようなタイプの、単層若しくは多層のポリマー又はポリマーの混合物に結合される金属シートから得られる。
【００５７】
金属シートによる解決手段は、タンクに所望の機械的及び構造的特性を与えることができる。
【００５８】
実施形態の別の一変形形態は、例えば金属蒸着技術で金属薄層、一般的にアルミニウム薄層が蒸着された、１つ以上のポリマー、例えば前に述べたように単層若しくは多層の混合物からなるフィルムを使用するように提供される。
【００５９】
実施形態のいくつかの形態によれば、第１のコンポーネントを収容するために、タンクは平面壁と中空突起とを備えている。いくつかの変形形態において、平面壁は可動性スラスタに向かって、突起は小瓶の内側に向かっている一方、他の変形形態において、平面壁は小瓶の内側に向かって、突起は可動性スラスタに向かっている。
【００６０】
前記のように、本発明は、また閉鎖装置を備える容器又は小瓶に関する。
【００６１】
実施形態のいくつかの形態において、閉鎖装置及び関連した小瓶は、食品、医薬品または医療分野における使用に適合するプラスチック又は弾性プラスチック材料からなる。
【図面の簡単な説明】
【００６２】
本発明のこれらの及びその他の特徴は、添付図面を参照しながら、非制限的な実施例として挙げられる実施形態の優先的形態に係る以下の説明から明らかになるであろう。
【図１】図１は、小瓶に適用される本発明にかかる装置の側面部分断面図を示す。
【図２】図２は、単独で図１における装置の側面部分断面図を示す。
【図３】図３は、第１の動作状態において、本発明にかかる装置の立体図を示す。
【図４】図４は、第２の動作状態において、本発明にかかる装置の立体図を示す。
【図５】図５は、第１の動作状態において、小瓶に適用される本発明の変形形態の側面部分断面図を示す。
【図６】図６は、第２の動作状態において、小瓶に適用される本発明の変形形態の断面図を示す。
【図７】図７は、本発明の実施形態の一形態の部分拡大詳細図を示す。
【図８】図８は、第１の動作状態において、本発明にかかる装置の部分断面立体図を示す。
【図９】図９は、第２の動作状態において、本発明にかかる装置の部分断面立体図を示す。
【図１０】図１０は、本発明の一部の変形形態の拡大詳細部分断面図を示す。
【００６３】
理解を容易にするために、可能であれば、同じ参照番号が用いられて図面における同一の共通要素を特定する。実施形態の一形態の要素及び特徴は、さらに解明することなく、実施形態の他の形態に都合良く組み込まれることを理解すべきである。
【発明を実施するための形態】
【００６４】
添付図面を参照して、本発明にかかる閉鎖装置１０は、その全体が示されている。本発明にかかる閉鎖装置１０は、第１のコンポーネント、一般的に例えば栄養補助食品、ビタミン、凍結乾燥バクテリア、又は他のプレバイオティック若しくはプロバイオティック食品物質に基づく、吸湿性若しくは水溶性の粉末又は錠剤のような湿気に弱い物質を収容することに適している。この場合には、その第１のコンポーネントは、飲用組成物を調製するために、例えば栄養補助食品として、関連する小瓶又は容器１２に収容されている第２のコンポーネント、例えば水、果汁、他の水溶液などの液体、ヨーグルト、又は第１のコンポーネントを溶解又は分散させる一般的な他の物質にさらに導入されている。
【００６５】
小瓶１２は、従来型のものであり、側面シェル１２ａ及び基部１２ｂを有しており、その側面シェル１２ａ及び基部１２ｂによって、第２のコンポーネントを収容するための内部区画１２ｃが区切られている。側面シェル１２は、開口が区切られるネック１１を上部に有している。その開口は、閉鎖装置１０が取りはずれるとき小瓶１２の内部にアクセスするために、例えば、製造ステップ又はユーザーによる通常の使用において第２のコンポーネントを小瓶１２に導入するため、第１のコンポーネントを添加するため、又は、第１のコンポーネントが第２のコンポーネントと混合され又は第２のコンポーネントに分散されると、小瓶１２の内容物を例えばネック１１から直接飲むために、簡単に使用することができる。
【００６６】
特に、閉鎖装置１０は、選択的に、添付図面のような螺合若しくは継合、又は他の解除可能な接続手段によって、小瓶１２のネック１１に解除自在に接続可能である。
【００６７】
特に、閉鎖装置１０は、中心軸Ｘの周りに形成される閉鎖部又はストッパ１３と、直線的に作動できる可動性スラスタ１５とを備えている。
【００６８】
可動性スラスタ１５は、閉鎖部又はストッパ１３と一体成形することのよって製造されている。
【００６９】
閉鎖装置１０は、第１のコンポーネントを収容して湿気から保護するのに適したタンクと結合しているか、又はタンクをさらに備えており、後者の場合、そのタンクはブリスター、小窩又はカプセル１６である。
【００７０】
実施形態のいくつかの形態において、ブリスターは、例えば、ポリエチレンに結合されるアルミニウムシートによって形成されてもよい。
【００７１】
ブリスター又は小窩は、第１のコンポーネントを収容している凸面形状であって、中空突起１６ｂが延出している平面壁１６ａによって典型的構造として定義されてもよい。
【００７２】
可動性スラスタ１５は、対応する内容物が小瓶１２の内部を通過するために、タンク１６を開くように直線的に作動することができる。この目的を達成するために、以下により詳しく説明するように、いくつかの変形形態において、可動性スラスタ１５は、貫通する形で、タンク１６を完全にカットするか、又はタンク１６に穴を開けるが、一方、他の変形形態において、可動性スラスタ１５は、タンク１６の一部が開くようにタンク１６を圧迫して又は押し付けるだけである。
【００７３】
実施形態のいくつかの形態において、閉鎖ストッパ１３は、中心軸Ｘの周りに形成される第１の外側円筒壁１７を備えている。第１の外側円筒壁１７は、小瓶１２のネック１１の直径と対応する直径を有しており、小瓶１２に接続するための閉鎖手段として機能している。
【００７４】
さらに、いくつかの変形形態によると、閉鎖ストッパ１３は、第１の壁１７と同軸である第２の内側円筒壁１８を備えている。第２の内側円筒壁１８の内部において、可動性スラスタ１５はスライドすることに適している。第２の壁１８は、第１の壁１７の直径よりも小さい直径を有しており、その直径は可動性スラスタ１５の横軸サイズと対応している。
【００７５】
実施形態のいくつかの形態において、第２の壁１８は、盲軸支持部１４を内部で区切る。可動性スラスタ１５は、使用状態で、盲軸支持部１４において摺動でき、盲軸支持部１４が開くと、可動性スラスタ１５を通すための中央開口２１を通じて、小瓶１２の内側に向かって移動する。盲軸支持部１４の直径は、可動性スラスタ１５において摺動するように、可動性スラスタ１５の最大横軸サイズに応じて形成されている。従って、可動性スラスタ１５は、その最大横軸の体積で、盲軸支持部１４の全空間を実質的に占有している。
【００７６】
実施形態のいくつかの形態において、閉鎖ストッパ１３は、環状面１９をさらに備えている。この場合、環状面１９は、実質的に半径方向において又は若干斜めになって、第１の壁１７を第２の壁１８に接続及び接合している。
【００７７】
特に、第１の壁１７は、下向きの通常の使用において、環状面１９から軸方向に延びている一方、第２の円筒壁１８は、上向きの通常の使用において、逆方向で、環状面１９から軸方向に延びている。
【００７８】
環状面１９は、使用中に、小瓶１２の内側に向かって、半径方向において又は若干斜めになって、中央開口２１から第１の壁１７に延びている。
【００７９】
実施形態のいくつかの形態において、タンク１６は、接着又は熱溶接によって環状面１９と有利に結合している。以下に詳細に説明されるように、この結合は、接着又は熱溶接によって、小瓶１２の内部の油圧シールを可能にする。
【００８０】
実施形態のいくつかの形態において、タンク１６は、「逆さまに」組み立てられ、下向きの突起１６ｂを有している。特に、タンク１６の平面壁１６ａは、突起１６ｂを小瓶１２の内側に向けるように、例えば接着又は熱溶接によって環状面１９に直接結合している。この場合、タンク１６の平面壁１６ａの最適な位置決めのために、環状面１９は、実質的に平面であって、中心から外周に向かって半径方向に延びていることが有利である。
【００８１】
実施形態のいくつかの形態において、閉鎖ストッパ１３の第１の壁１７は内側面を有している。内側面には、小瓶１２のネック１１と解除可能に接続するために、閉鎖手段として機能するスレッディング２０が形成されている。実施形態のこの形態において、ネック１１は、ネック１１をスレッディング２０と協働するために、外側に嵌め合いカウンターネジ部を有している。
【００８２】
実施形態のいくつかの形態において、第１の壁１７は、外側つかみ面を備えている。この場合、外側つかみ面は、刻み付きによって装置１０を保持することを容易にする。
【００８３】
実施形態のいくつかの形態において、また、フランス語で「ｔｉｇｅ」として知られている環状リブ２２は、中央開口２１と第１の円筒壁１７との間の中間位置において、環状面１９から小瓶１２の内側に向かって延びている。実施形態のいくつかの形態において、環状リブ２２は、環状面１９に対して実質的に直交している。実施形態の他の形態において、以下に詳細に示すように、環状リブ２２は、環状面１９に対して傾いており、すなわち、環状リブ２２は、所望の角度で切り取った円錐形を有している。この角度は、結合及び密封を可能にするように、小瓶１２の材料に関する相対的な柔軟性を考慮に入れている。
【００８４】
実施形態のいくつかの形態において、環状リブ２２は、環状隙間２４において環状面１９を分割し、外側で第１の壁１７と相まって第１のクラウン又は外側の環状ストリップ２３を区切って、また、内側で中央開口２１と相まって第２のクラウン又は内側の環状ストリップ２５を区切る。
【００８５】
従って、実施形態のいくつかの形態において、第１のクラウン２３は、環状リブ２２と第１の円筒壁１７との間に位置して、小瓶１２のネック１１の上部環状バンド１１ａ（図１）が環状隙間２４に収納されることを可能にする。図１及び図２に示されるように、環状リブ２２は、ネック１１の上部環状バンド１１ａに対して直接隣接している。このように、ネック１１の上部環状バンド１１ａは、環状リブ２２と密接している状態にあり、小瓶１２の所望の外側油圧シールが得られるようになる。さらに、ネック１１の上部環状バンド１１ａを環状隙間２４に挿入することによって、小瓶１２の閉鎖を決めるように、スレッディング２０をネック１１の外側カウンターネジ面と協働することが可能になる。
【００８６】
第２のクラウン２５は、環状リブ２２から中央開口２１まで延びており、タンク１６、特に平面壁１６ａを、例えば接着又は熱溶接によって安定的に第２のクラウン２５に位置付けることができるような大きさを有している。このように、タンク１６は中央開口２１を実質的に閉鎖している。
【００８７】
本発明の実施形態のいくつかの形態において、小瓶１２の外側油圧シールは、閉鎖部１３における環状面１９から直接延びている環状リブ２２によって得られ、環状リブ２２は、外側環状隙間２４に位置して、外側環状隙間２４において小瓶１２のネック１１の上部環状バンド１１ａと協働する。一方、環状リブ２２に対してより内側の位置の内側油圧シールは、接着又は熱溶接でタンク１６と閉鎖部１３の環状面１９とを結合させることによって得られる。従って、パッキングを追加する必要はない。
【００８８】
前に述べたように、実施形態のいくつかの形態において、小瓶１２のネック１１と相まって装置１０と小瓶１２との間の結合による油圧シールを決めるために、環状リブ２２は、小瓶１２の中心に向かっているテーパ状であり、即ち、徐々に狭くなる部分を有しているか、又はいかなる場合に環状面１９の横たわっている面に向かって（添付図面において下から上へ）所望の角度で切り取った円錐形を有している。
【００８９】
有利には、環状リブ２２のテーパ部は、閉鎖装置１０の中心軸Ｘに平行な基準面Ｒに対して約３°〜約１０°の所定の角度αの傾斜面を有している。ネック１１とテーパ状リブ２２との結合は、テーパ状リブ２２のわずかな側方湾曲を引き起こして、密封が得られる。
【００９０】
実施形態のいくつかの形態において、可動性スラスタ１５は、中央開口２１内で摺動するように配置されるロッド２６によって形成されており、閉鎖ストッパ１３の外側における第１の端部２６ａ及び閉鎖ストッパ１３の内側における第２の先端部２６ｂを備えている。可動性スラスタ１５がタンク１６の穴開け器として機能する実施形態のいくつかの形態において、タンク１６の構成材料を効果的に切断するために、少なくともロッド２６の第２の端部２６ｂは、実質的に星形又は十字の横断面を有している。星形横断面の場合は、互いに直交する４つの角を有する星形であってもよい。
【００９１】
特に、実施形態のいくつかの形態において、ロッド２６は、閉鎖ストッパ１３と一体に形成されており、優先破断部２７によって閉鎖ストッパ１３と接続している。優先破断部２７は、非使用の状態で、可動性スラスタ１５が閉鎖ストッパ１３と緊密に接続される状態を保つ一方、優先破断部２７がユーザーの圧力によって破壊されるとき、可動性スラスタ１５は、閉鎖ストッパ１３に対して軸支持部１４に沿って自由に摺動している。実施形態のいくつかの形態において、第２の壁１８をロッド２６と接続するために、優先破断部２７は、第２の壁１８の上部に沿って形成されている（図１及び図２）。
【００９２】
従って、ロッド２６は、優先破断部２７から立ち上がってタンク１６を妨げない位置を可動性スラスタ１５の第１の位置に定義する。実施形態のいくつかの形態において、少なくともロッド２６の一部及び優先破断部２７は、前記第１の立ち上がり位置において、通常の使用時に可動性スラスタ１５が摺動している盲軸支持部１４の下部を決める。
【００９３】
ロッド２６の第１の端部２６ａにおける軸推力は、優先破断部２７の破断を引き起こして、可動性スラスタ１５を軸支持部１４において小瓶１２に向かって摺動させる。
【００９４】
このように、ロッド２６の第２の端部２６ｂが中央開口２１から突出している位置を可動性スラスタ１５の第２の位置に定義して、この場合、貫通の形でタンク１６を切断するか、又はタンク１６に穴を開ける。従って、タンク１６に収容された第１のコンポーネントを小瓶１２内に自由落下させて第２のコンポーネントと混合させるか、又は少なくとも第２のコンポーネントに分散させるようにする。
【００９５】
装置１０は、安全エレメントをさらに備えており、この場合、ロッド２６及び閉鎖ストッパ１３の相互移動を防止する、少なくとも一時的に防止するために、安全トング２９は、ロッド２６及び閉鎖ストッパ１３と一体に形成されている。
【００９６】
特に、安全トング２９は、容易に破れやすいそれぞれのプレカットセグメント３０によってロッド２６及び閉鎖ストッパ１３に接続されている。
【００９７】
従って、可動性スラスタ１５を第１の位置から第２の位置へ移動させるためのロッド２６の移動は、安全トング２９が取り外され取り外された後にのみ行われるようになる。
【００９８】
実施形態のいくつかの形態において、閉鎖装置１０及び小瓶１２のアンカップリングを防止するために、閉鎖装置１０と小瓶１２との間に誤動作防止エレメントが設けられている。実施形態のいくつかの形態において、誤動作防止エレメントは、閉鎖装置１０を小瓶１２に接続している環状ストリップ３１である（図１、図２及び図３）。誤動作防止エレメントは、例えば小瓶１２を取り囲む薄いプラスチックで形成される構造を有して、小瓶１２及び閉鎖装置１０と緊密に接続されており、こうして、実際には、それらのアンカップリングを防止する。環状ストリップ３１は、力をかけると外れて取れる優先破断セグメントを有しており、この場合、回して外すことによって閉鎖装置１０は小瓶１２から取り外される。
【００９９】
閉鎖装置１０及び関連した小瓶１２は、次のように使用される。安全トング２９が取り外されると、ユーザーは可動性スラスタ１５を押して、可動性スラスタ１５がタンク１６を妨げるようにする。この場合、貫通の形態でタンク１６を切断することで、第１のコンポーネントを小瓶１２の内部区画１２ｃに自由落下させ、例えば手で振ることによって、第１のコンポーネントを第２のコンポーネントに混合又は分散させて飲用組成物を調製する。
【０１００】
誤動作防止の環状ストリップ３１は取り外され、ストッパ１３は完全に取り外されるようになる。
【０１０１】
これらの動作が行われると、閉鎖ストッパ１３と小瓶１２のネック１１との間における解除可能な接続手段によって、ユーザーは例えば閉鎖ストッパ１３を回して外すこと又は他の手段によって、閉鎖ストッパ１３を完全に取り除いて、ネック１１によって区切られる開口を経由して、例えばネック１１から直接飲むことで、瓶１２内に調製される組成物を容易に飲むことができる。
【０１０２】
また、スレッディング２０の代わりに、第１の円筒壁１７の内面において、装置１０と小瓶１２との間に、例えばスナップで取り付ける方式、解除可能に結合する方式などの方式でリブ、リッジなどを設けることが本発明の範囲内に入る。
【０１０３】
図５〜図９は、本発明の実施形態の他の形態を示し、図面において同じ参照番号は同一の部分に使用される。
【０１０４】
特に、これらの実施形態の形態において、環状リブ２２の代わりに、環状パッキング３２は油圧シールのために設けられる。有利には、環状パッキング３２はエラストマー材料からなり、小瓶１２のネック１１とタンク１６との間に環状面１９に隣接して設けられる。この場合、閉鎖ストッパ１３を閉めることによって与えられる、小瓶１２のネック１１への環状パッキングの圧迫は、油圧シールを保証する。
【０１０５】
さらに、例えば図５〜図９に示すように、実施形態のいくつかの形態において、タンク１６は、平面壁１６ａが小瓶１２の内側に向かって、第１のコンポーネントを収容する突起１６ｂが可動性スラスタ１５に向かっているように、図１〜図４に対して逆さまに設置され、特に軸支持部１４に収納されている。この変形形態において、可動性スラスタ１５の押し付け動作は、タンク１６の破断を引き起こす。好ましくは、破断エッジ１６ｃによって開けられる平面壁１６ａのみは、第１のコンポーネントを落下させるように、下に向かって小瓶１２の内側に向かっている。
【０１０６】
特に、閉鎖ストッパ１３が小瓶１２のネック１１を閉じ込める場合、タンク１６の平面壁１６ａの周辺環状ストリップは、閉鎖ストッパ１３の環状面１９に隣接している。これらの実施形態の形態において、タンク１６の平面壁１６ａの周辺環状ストリップは、小瓶１２のネック１１の上部環状バンド１１ａに設置され、上部環状バンド１１ａによって間接的に支持されている。環状パッキング３２は、タンク１６の平面壁１６ａと上部環状バンド１１ａとの間に設けられる。環状パッキング３２の幅又は半径方向のサイズは、閉鎖ストッパ１３の環状面１９の幅に応じて形成して選択でき、好ましくは、環状面１９の幅以下のサイズである。
【０１０７】
実施形態のいくつかの形態において、閉鎖ストッパ１３の軸支持部１４は、主に軸方向に形成されるガイドリブ又はリッジ３４を内側に有している。ガイドリブ又はリッジ３４は、スライドチャンネル３５を形成するように、所定のピッチで互いに間隔を置いて軸支持部１４の内面に形成されている。
【０１０８】
ガイドリブ３４は、可動性スラスタ１５の下向きの移動において、可動性スラスタ１５と協働して、その移動及びタンク１６との相互作用を案内すると共に容易にする。
【０１０９】
有利には、可動性スラスタ１５は、その周辺にスライドティース３６を有している。この場合、スライドティース３６は、優先破断部２７に設けられ、ガイドリブ又はリッジ３４と協働することができる。
【０１１０】
スライドティース３６は、可動性スラスタ１５の外面から突出して、ガイドリブ又はリッジ３４のピッチと協働する所定のピッチで形成されている。可動性スラスタ１５が作動する場合、ライドティース３６は、ガイドリブ又はリッジ３４の表面において、対応するスライドチャンネル３５に沿って案内され摺動するように強いられる。
【０１１１】
可動性スラスタ１５の第１の位置におけるスライドティース３６の位置は、可動性スラスタ１５を駆動するとスライドティース３６がスライドチャンネル３５のインレット又はマウスに挿入できるように、それぞれの対応するスライドチャンネル３５のインレット又はマウスと実質的に一直線になっている。
【０１１２】
この場合、ガイドリブ又はリッジ３４は、突出セグメントとして可動性スラスタ１５の移動の軸方向に沿って主に螺旋状に形成され、可動性スラスタ１５を実質的に螺旋軌道に沿って軸方向に移動させ、スライドティース３６がガイドリブ又はリッジ３４の表面に摺動することを容易にし、さらにタンク１６を開けることができるようにタンク１６に対して回転によって押し付ける。実際に、平面壁１６ａが開けられると、可動性スラスタ１５の実質的に螺旋状の移動は、平面壁１６ａのエッジ１６ｃを広く開けるようにして、最少量の第１のコンポーネントをエッジ１６ｃによって捕らえ又は留められることを防止する。
【０１１３】
この場合、閉鎖ストッパ１３の上部は、第１の端部２６ａの下側に、円周状リッジ３８を備えている。円周状リッジ３８は、第１の端部２６ａと相まって、可動性スラスタ１５が第２の位置に移動するときに役立つ円形保持溝４０を区切る。実際に、優先破断ライン２７の破断は、溝４０と相まって、軸支持部１４の上において部分２７ａを半径方向に突出させ、可動性スラスタ１５の軸方向移動を取り付けることに有利である。部分２７ａと溝４０との間の機械的協働は、可動性スラスタ１５の第２の位置における取り付けを引き起こすだけでなく、機械的油圧シール効果も引き起こし、また、小瓶１２を振って第１のコンポーネントを第２のコンポーネントに混合させる場合、液体が閉鎖ストッパ１３から外へ出るという望ましくないことを防止する。
【０１１４】
図５〜図９に示される変形形態において、可動性スラスタ１５はタンク１６を直接切断し、又は穴を開けることではなく、突起１６ｂに推力を与えるだけである。この推力から得られる圧迫力は、下向きのエッジ１６ｃによって開けられる平面壁１６ａを破断させ、タンク１６に収容された第１のコンポーネントを放出させて小瓶１２の内部に渡すようにする。
【０１１５】
これらの変形形態において、可動性スラスタ１５は中空のロッド２６によって形成されており、可動性スラスタ１５の内部に、突起１６ｂを押し付けようとする十字の横断面を有する機構があって、スラスタとして機能している。この場合、その機構は、直交して閉鎖ストッパ１３と一体に成形される２つの壁１５ａによって形成され、タンク１６を押し付ける機能を実行すれば、例えば円筒状、円錐台状などの、他の形態も設けられ又は形成されることができる。
【０１１６】
図１０は、可動性スラスタ１５の実施形態の変形形態を示す。図１０において、壁１５ａは下部に可動性スラスタ１５の横断面を縮小させる傾斜セグメント１５ｂを有し、有利には、丸く面取りまたは面取りを施したセグメント１５ｂを有している。この変形形態は、可動性スラスタ１５の鋭いエッジとタンク１６の突起１６ｂとの相互作用を除去し、可動性スラスタ１５がタンク１６の上から移動する場合、これらの破断の望ましくない可能性を防止し、よって、閉鎖ストッパ１３の油圧シールをさらに増加させる。
【図１】
0005913319.tif 000002
【図２】
0005913319.tif 000003
【図３】
0005913319.tif 000004
【図４】
0005913319.tif 000005
【図５】
0005913319.tif 000006
【図６】
0005913319.tif 000007
【図７】
0005913319.tif 000008
【図８】
0005913319.tif 000009
【図９】
0005913319.tif 000010
【図１０】
0005913319.tif 000011